(57)【要約】【課題】  簡単な構造で、対象物に光を集めることが可能な照明器具を提供する。【解決手段】  光源１１と、光拡散部１２と、光源が発する光を外部に導出するための導出部１３とを含む筐体１５を有し、光源１１は、筐体１５における一つの面に設けられ、導出部１３は、筐体１５における光源１１の設置面に対向する面に設けられ、光拡散部１２は、筐体１５において、光源１１の設置面と導出部１３の設置面とを結ぶ面に設けられ、光源１１の設置面と導出部１３の設置面とが非平行であり、光拡散部１２の設置面が、導出部１３の設置面に対する垂直方向に対して傾斜していることを特徴とする照明器具１０。【選択図】  図１
2017033872.tif 000002
【特許請求の範囲】
【請求項１】
光源と、光拡散部と、光源が発する光を外部に導出するための導出部とを含む筐体を有し、
前記光源は、前記筐体における一つの面に設けられ、
前記導出部は、前記筐体における前記光源の設置面に対向する面に設けられ、
前記光拡散部は、前記筐体において、前記光源の設置面と前記導出部の設置面とを結ぶ面に設けられ、
前記光源の設置面と前記導出部の設置面とが、非平行であり、
前記光拡散部の設置面が、前記導出部の設置面に対する垂直方向に対して傾斜していることを特徴とする照明器具。
【請求項２】
前記光源の設置面と、前記導出部の設置面とのなす角度が、０度を超えて３０度以下である、請求項１記載の照明器具。
【請求項３】
前記光拡散部の設置面と、前記導出部の設置面に対する垂直方向とのなす角度が、０度を超えて３０度以下である、請求項１または２記載の照明器具。
【請求項４】
前記光源が、ＬＥＤである、請求項１から３のいずれか一項に記載の照明器具。
【請求項５】
さらに、電源を有し、
前記電源から前記光源に電気が供給される、請求項１から４のいずれか一項に記載の照明器具。
【請求項６】
レンジフードに設置される、請求項１から５のいずれか一項に記載の照明器具。
【請求項７】
ショーケースに設置される、請求項１から５のいずれか一項に記載の照明器具。
【発明の詳細な説明】
【技術分野】
【０００１】
本発明は、照明器具に関する。
【背景技術】
【０００２】
ＬＥＤ（発光ダイオード）を、傾斜を変えて複数列配置することで、対象物に光を集める照明器具が提案されている（特許文献１）。
【先行技術文献】
【特許文献】
【０００３】
【特許文献１】特開２００９−１１０７８７号公報
【発明の概要】
【発明が解決しようとする課題】
【０００４】
しかしながら、前述の照明器具は、多くのＬＥＤを必要とし、また、構造が複雑であるため、コストが増大する。
【０００５】
そこで、本発明は、簡単な構造で、対象物に光を集めることが可能な照明器具を提供することを目的とする。
【課題を解決するための手段】
【０００６】
前記目的を達成するために、本発明の照明器具は、
光源と、光拡散部と、光源が発する光を外部に導出するための導出部とを含む筐体を有し、
前記光源は、前記筐体における一つの面に設けられ、
前記導出部は、前記筐体における前記光源の設置面に対向する面に設けられ、
前記光拡散部は、前記筐体において、前記光源の設置面と前記導出部の設置面とを結ぶ面に設けられ、
前記光源の設置面と前記導出部の設置面とが、非平行であり、
前記光拡散部の設置面が、前記導出部の設置面に対する垂直方向に対して傾斜していることを特徴とする。
【発明の効果】
【０００７】
本発明によれば、簡単な構造で、対象物に光を集めることが可能な照明器具を提供することができる。
【図面の簡単な説明】
【０００８】
【図１】図１は、実施形態１の照明器具の構成の一例を示す断面図である。
【図２】図２（Ａ）および（Ｂ）は、実施形態１の照明器具における光の導出について説明する断面図である。
【図３】図３は、実施形態１の照明器具の設置例を示す模式図である。
【図４】図４は、実施形態２の照明器具の設置例を示す模式図である。
【発明を実施するための形態】
【０００９】
以下、本発明の照明器具について、図面を参照して詳細に説明する。ただし、本発明は、以下の説明に限定されない。なお、以下の図１から図４において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１０】
［実施形態１］
本実施形態は、レンジフードに設置される照明器具の一例である。図１は、本実施形態の照明器具１０の構成の一例を示す断面図である。図１に示すように、この照明器具１０は、光源１１と、光拡散部１２と、光源１１が発する光を外部に導出するための導出部１３とを含む筐体１５を有する。光源１１は、筐体１５における一つの面に設けられている。導出部１３は、筐体１５における光源１１の設置面に対向する面に設けられている。光拡散部１２は、筐体１５において、光源１１の設置面と導出部１３の設置面とを結ぶ面に設けられている。光源１１の設置面と導出部１３の設置面とは、非平行である。光拡散部１２の設置面は、導出部１３の設置面に対する垂直方向に対して傾斜している。
【００１１】
図１に例示する照明器具１０は、さらに、光源１１に電気を供給する電源１４を有する。ただし、本実施形態の照明器具１０において、電源１４は、任意の構成部材である。本実施形態の照明器具１０は、電源１４を有することが好ましいが、有さなくともよい。電源１４を有さない場合には、例えば、照明器具１０外部の電源から、配線を介して光源１１に電気を供給することが可能である。また、図１に例示する照明器具１０では、電源１４が、筐体１５内部において、光源１１および導出部１３の左方に配置されているが、電源１４は、例えば、光源１１の上部等、光源１１に電気を供給可能であれば、いかなる箇所に配置されてもよい。
【００１２】
筐体１５の形成材料としては、特に制限するものではないが、例えば、アルミニウム板、鋼板、樹脂板等があげられ、これらの中でも、アルミニウム板が好ましい。筐体１５の厚さは、特に限定されないが、例えば、１〜２ｍｍである。筐体１５は、例えば、押出成形等により製造可能である。
【００１３】
光源１１としては、特に制限するものではないが、例えば、ＬＥＤ、ＬＤ（Ｌａｓｅｒ  Ｄｉｏｄｅ）、有機ＥＬ（Ｏｒｇａｎｉｃ  Ｅｌｅｃｔｏｒｏ−Ｌｕｍｉｎｅｓｃｅｎｃｅ）、無機ＥＬ（Ｉｎｏｒｇａｎｉｃ  Ｅｌｅｃｔｏｒｏ−Ｌｕｍｉｎｅｓｃｅｎｃｅ）等があげられ、これらの中でも、ＬＥＤが好ましい。ＬＥＤは、特に限定されず、従来公知のものを使用できるが、白色ＬＥＤであることが好ましい。光源１１は、例えば、シリコーン樹脂等に内包され、前記シリコーン樹脂中に蛍光体が分散されていてもよい。このような態様においては、例えば、光源１１を、青色ＬＥＤとし、前記蛍光体を、黄色蛍光体または赤・緑蛍光体の組み合わせとすることで、白色光を得ることができる。また、光源１１を、近紫外ＬＥＤ（ＵＶ−ＬＥＤ）とし、前記蛍光体を、赤・緑・青蛍光体の組み合わせ（ＲＧＢ蛍光体）とすることでも、白色光を得ることができる。
【００１４】
導出部１３の形成材料としては、光を導出可能な光透過性を有するものであればいかなるものでもよいが、例えば、ポリカーボネート（ＰＣ）、ポリメタクリル酸メチル（ＰＭＭＡ）等のアクリル等があげられる。導出部１３は、筐体１５における開口であってもよい。
【００１５】
前述のとおり、筐体１５において、光源１１の設置面と導出部１３の設置面とは、非平行である。光源１１の設置面と、導出部１３の設置面とのなす角度は、例えば、０度を超えて３０度以下、５〜２５度、１０〜２０度、１０度である。
【００１６】
また、前述のとおり、筐体１５において、光拡散部１２の設置面は、導出部１３の設置面に対する垂直方向に対して傾斜している。光拡散部１２の設置面と、導出部１３の設置面に対する垂直方向とのなす角度は、例えば、０度を超えて３０度以下、５〜２５度、１０〜２０度である。
【００１７】
つぎに、図２を用いて、本実施形態の照明器具１０における光の導出について説明する。図２（Ａ）に示す照明器具１０では、光拡散部１２の設置面と、導出部１３の設置面に対する垂直方向とのなす角度が、２５度であり、図２（Ｂ）に示す照明器具１０では、光拡散部１２の設置面と、導出部１３の設置面に対する垂直方向とのなす角度が、１０度である。図２（Ａ）に示す照明器具１０では、光源１１から直接導出部１３に到達した光と、光源１１から発せられた後、光拡散部１２で反射されて導出部１３へと送られた光とが、筐体１５の右端より左側に集められた状態で外部に導出されている。一方、図２（Ｂ）に示す照明器具１０では、光拡散部１２の設置面と、導出部１３の設置面に対する垂直方向とのなす角度を１０度と小さくしたことで、光拡散部１２で反射されずに光源１１から直接導出部１３の設置面に到達する光が多くなるため、導出部１３を光拡散部１２側に広げることで、光の導出領域を、図２（Ａ）に示す照明器具１０よりも広げることができる。このように、本実施形態の照明器具１０では、光拡散部１２の設置面と、導出部１３の設置面に対する垂直方向とのなす角度の大きさを変更することにより、光の導出領域を増減させ、対象物への集光度合を調整することが可能である。
【００１８】
つぎに、図３を用いて、本実施形態の照明器具１０の設置例について説明する。図３に示すように、本実施形態の照明器具１０は、壁面２２に設置されたレンジフード２０に設置される。本実施形態の照明器具１０によれば、例えば、光源１１を同一平面上に配置する等の簡単な構造で、作業者４０側への光の照射を抑え、作業台２１に設置されたコンロ等の対象物に光を集めることが可能である。
【００１９】
［実施形態２］
本実施形態は、ショーケースに設置される照明器具の一例である。図４を用いて、本実施形態の照明器具１０の設置例について説明する。なお、本実施形態において、照明器具１０自体は、実施形態１の照明器具１０と同じであるので、説明を省略する。図４に示すように、本実施形態の照明器具１０は、例えば、ショーケース３０の天井に設置される。本実施形態の照明器具１０によれば、例えば、光源１１を同一平面上に配置する等の簡単な構造で、客５０側への光の照射を抑え、ショーケース３０内に設置された対象物３１（例えば、店舗における商品、美術館・博物館等における展示物等）に光を集めることが可能である。
【００２０】
図４には、照明器具１０をショーケース３０の天井に設置する例を示したが、照明器具１０の設置箇所は天井に限定されず、例えば、ショーケース３０の底面に照明器具１０を設置し、ショーケース３０の天井から吊り下げられた対象物３１に光を集めることも可能である。
【００２１】
実施形態１および２では、それぞれ、レンジフードおよびショーケースに設置された照明器具について説明したが、本願発明の照明器具の用途はこれらに限定されず、例えば、キッチンにおける棚下灯等、対象物に集光することが求められる種々の用途に利用可能である。
【００２２】
以上、実施形態を参照して本願発明を説明したが、本願発明は、上記実施形態に限定されるものではない。本願発明の構成や詳細には、本願発明のスコープ内で当業者が理解しうる様々な変更をすることができる。
【産業上の利用可能性】
【００２３】
本願発明によれば、簡単な構造で、対象物に光を集めることが可能な照明器具を提供することができる。本発明の照明器具は、例えば、レンジフード用、ショーケース用、キッチンにおける棚下灯用等、幅広い用途に利用可能である。
【符号の説明】
【００２４】
１０  照明器具
１１  光源
１２  光拡散部
１３  導出部
１４  電源
１５  筐体
２０  レンジフード
２１  作業台
２２  壁面
３０  ショーケース
３１  対象物
４０  作業者
５０  客
【図１】
2017033872.tif 000003
【図３】
2017033872.tif 000004
【図４】
2017033872.tif 000005
【図２】
2017033872.tif 000006